(57)【要約】【課題】盤用機器の端子部から出線する電線数を増加させる場合にも、新たな端子台の増加という手段によらず、かつ、端子部と圧着端子との圧着に緩みを生じることなく、かつ、端子部への負担を増加させることなく出線を行うことができる技術を提供する。【解決手段】キャビネットの出力側遮断器５の取り付け面に取り付けた盤用機器の出力端子部９から、リードバー１１を介して、出力線１０の出線を行う盤用機器の配線構造であって、リードバー１１は、出力端子部９と接続され、出力側遮断器５の取り付け面と平行配置される端子接続部１２と、端子接続部１２を出力側遮断器５の取り付け面と反対側に延設させた延設部１３を備えるものとし、さらに延設部１３には、出力線１０を接続する電線接続部１７を複数形成した。【選択図】図２
2015076944.tif 000002
【特許請求の範囲】
【請求項１】
キャビネットの機器取り付け面に取り付けた盤用機器の端子部から、リードバーを介して、電線の出線を行う盤用機器の配線構造であって、
前記リードバーは、
前記端子部と接続され、前記機器取り付け面と平行配置される端子接続部と、
該端子接続部を前記機器取り付け面と反対側に延設させた延設部を備え、
該延設部に、電線を接続する電線接続部を複数形成した
ことを特徴とする盤用機器の配線構造。
【請求項２】
前記延設部は、前記機器取り付け面と反対方向に向けて折り曲げ形成した折り曲げ辺を有し、該折り曲げ辺に前記電線接続部を形成したことを特徴とする請求項１記載の盤用機器の配線構造。
【請求項３】
前記延設部は、前記機器取り付け面と平行配置される平行辺を有することを特徴とする請求項１記載の盤用機器の配線構造。
【請求項４】
前記端子接続部と延設部が、別部材として構成され、
該延設部は、
前記端子接続部に重ねて配置される接合辺と、該接合辺を、前記機器取り付け面と反対方向に向けて垂直に折り曲げ形成した折り曲げ辺からなることを特徴とする請求項２記載の盤用機器の配線構造。
【請求項５】
前記折り曲げ辺に、電線接続部として、複数の孔部を、折り曲げ方向に並列して形成したことを特徴とする請求項４記載の盤用機器の配線構造。
【請求項６】
前記盤用機器の端部には、端子部の上端及びリードバーを被覆するように前記機器取り付け面と平行配置される保護カバーを備え、
前記延設部を、該保護カバーと前記端子接続部との間に形成される空間に配置したことを特徴とする請求項２または３記載の盤用機器の配線構造。
【発明の詳細な説明】
【技術分野】
【０００１】
本発明は、盤用機器の配線構造に関するものである。
【背景技術】
【０００２】
太陽光発電システムで用いられる太陽光接続箱には、各ソーラーパネルで発電した電気が、複数本のケーブルを介して集められる。通常、各ケーブルは、太陽光接続箱の内部で接続され、遮断器を経て、１本の大容量の電線として出線される（例えば、特許文献１の図１）。
【０００３】
しかし、大容量の電線はケーブル径が大きくなるため、法的にケーブルサイズの制約等がある場合には、遮断器から複数本の電線（例えば、４条配線）として出線されることとなる。
【０００４】
遮断器の端子部と電線とは、電線の端部に設けた圧着端子を遮断器の端子部に圧着させて接続されるが、上記のように、出線する電線数を増加させる場合、一つの端子部に複数の圧着端子を圧着させて使用するか、あるいは、遮断器に隣接して、出線する電線数分の端子部を備えた端子台を新たに設けて配線を行っていた。
【０００５】
しかし、一つの端子部に複数の圧着端子を圧着させて使用する場合には、一つの端子部に一つの圧着端子を圧着させて使用する場合と比べて、圧着に用いているネジに緩みが発生しやすく、複数本の電線の荷重による端子部への負荷が大きくなる問題があった。
【０００６】
また、出線する電線数分の端子部を備えた端子台を新たに設けて配線を行う場合には、端子台の追加分、太陽光接続箱を大型化する必要があり、コンパクトな太陽光接続箱を実現できない問題があった。
【先行技術文献】
【特許文献】
【０００７】
【特許文献１】特開平７−１３５７２１号公報
【発明の概要】
【発明が解決しようとする課題】
【０００８】
本発明の目的は前記問題を解決し、盤用機器の端子部から出線する電線数を増加させる場合にも、新たな端子台の増加という手段によらず、かつ、端子部と圧着端子との圧着に緩みを生じることなく、かつ、端子部への負担を増加させることなく出線を行うことができる技術を提供することである。
【課題を解決するための手段】
【０００９】
上記課題を解決するためになされた本発明は、キャビネットの機器取り付け面に取り付けた盤用機器の端子部から、リードバーを介して、電線の出線を行う盤用機器の配線構造であって、前記リードバーは、前記端子部と接続され、前記機器取り付け面と平行配置される端子接続部と、該端子接続部を前記機器取り付け面と反対側に延設させた延設部を備え、該延設部に、電線を接続する電線接続部を複数形成したことを特徴とするものである。
【００１０】
請求項２記載の発明は、請求項１記載の盤用機器の配線構造において、前記延設部は、前記機器取り付け面と反対方向に向けて折り曲げ形成した折り曲げ辺を有し、該折り曲げ辺に前記電線接続部を形成したことを特徴とするものである。
【００１１】
請求項３記載の発明は、請求項１記載の盤用機器の配線構造において、前記延設部は、前記機器取り付け面と平行配置される平行辺を有することを特徴とするものである。
【００１２】
請求項４記載の発明は、請求項２記載の盤用機器の配線構造において、前記端子接続部と延設部が、別部材として構成され、該延設部は、前記端子接続部に重ねて配置される接合辺と、該接合辺を、前記機器取り付け面と反対方向に向けて垂直に折り曲げ形成した折り曲げ辺からなることを特徴とするものである。
【００１３】
請求項５記載の発明は、請求項４記載の盤用機器の配線構造において、前記折り曲げ上辺に、電線接続部として、複数の孔部を、折り曲げ方向に並列して形成したことを特徴とするものである。
【００１４】
請求項６記載の発明は、請求項２または請求項３記載の盤用機器の配線構造において、前記盤用機器の端部には、端子部の上端及びリードバーを被覆するように前記機器取り付け面と平行配置される保護カバーを備え、前記延設部を、該保護カバーと前記端子接続部との間に形成される空間に配置したことを特徴とするものである。
【発明の効果】
【００１５】
本発明に係る盤用機器の配線構造は、キャビネットの機器取り付け面に取り付けた盤用機器の端子部から、リードバーを介して、電線の出線を行う盤用機器の配線構造であって、リードバーは、端子部と接続され、機器取り付け面と平行配置される端子接続部と、端子接続部を機器取り付け面と反対側に延設させた延設部を備えるものとし、さらに延設部には、電線を接続する電線接続部を複数形成した。これにより、電線の圧着端子を重ねることなく、１つの相に複数の電線を省スペースで配線することが可能となり、端子部と圧着端子との圧着に緩みを生じることなく、かつ、端子部への負担を増加させることのない出線が実現可能となる。
【００１６】
また、延設部は、機器取り付け面と反対方向に向けて折り曲げた形成した折り曲げ辺を有することが好ましく、さらに延設部は、機器取り付け面と平行配置される平行辺を有することがより好ましい。これにより、端子接続部に対して垂直方向の空間を、複数の電線を配線するスペースとすることができるとともに、電線同士の重なりを防止することが可能となる。
【００１７】
なお、端子接続部と延設部を別部材として構成し、延設部は、端子接続部に重ねて配置される接合辺と、接合辺を機器取り付け面と反対方向に向けて垂直に折り曲げ形成した折り曲げ辺からなるものとしてもよい。これにより、使用されない無駄な材料を減らすことができ、材料効率が良い。
【００１８】
また、折り曲げ辺に、電線接続部として、複数の孔部を、折り曲げ方向に並列して形成することが好ましく、これにより端子接続部に対して垂直方向の空間を利用して複数の電線を接続可能とするとともに、各圧着端子を確実に締め付けることが可能となる。
【００１９】
なお、盤用機器の端部には、端子部の上端及びリードバーを被覆するように機器取り付け面と平行配置される保護カバーを備え、延設部を、保護カバーと端子接続部との間に形成される空間に配置することがより好ましい。これにより、導電部への異物の侵入や手の接触等を防止することが可能となる。
【図面の簡単な説明】
【００２０】
【図１】本発明の実施形態を示す正面図である。
【図２】第１の実施形態を示す斜視図である。
【図３】第１の実施形態を示す断面図である。
【図４】第２の実施形態を示す断面図である。
【図５】第３の実施形態を示す斜視図である。
【図６】その他の実施形態を示す斜視図である。
【発明を実施するための形態】
【００２１】
以下に本発明の好ましい実施形態を示す。
図１において、キャビネット１は太陽光接続箱である。キャビネット１内部には、図示しない太陽光パネルからの電流が入力される入力開閉器２が取り付けられており、入力開閉器２のＰ極からは、逆流防止ダイオード３とＰ極銅バー４とを介して、キャビネット１内部の出力側に取り付けられた出力側遮断器５の入力端子部６へと入力線７を介して電流が入力される。また、入力開閉器２のＮ極からは、Ｎ極銅バー８を介して、出力側遮断器５の入力端子部６へと、入力線７を介して電流が入力される。出力側遮断器５の入力端子部６と同側には、出力端子部９が形成されており、この出力端子部９から出力線１０を図１の紙面下方向に出線することにより、客先である図示しないパワーコンディショナや集電箱等に電流が出力される。また、本実施形態では、入力端子部６と出力端子部９の反対側の端子部で入力端子部６と出力端子部９を直列に接続し、その直列回路内に２つの接点を設けることで、大きい電流容量が必要とされる使用環境に対応している。なお、本明細書において、上下方向、左右方向とは、図１のように出力側遮断器５をキャビネット１内部に取り付けた際の方向を、各々意味するものとする。
【００２２】
出力側遮断器５における出力端子部９と出力線１０との配線構造は、第１の実施形態として図２に示すように、リードバー１１を介して行われる。リードバー１１は、出力端子部９と接続され、出力側遮断器５の取り付け面と平行に配置される端子接続部１２と、端子接続部１２に別部材として取り付けられる略Ｌ字状の延設部１３とからなるものである。なお、延設部１３は、図３のように、端子接続部１２に重ねて配置される接合辺１４と、接合辺１４を出力側遮断器５の取り付け面と反対方向に向けて垂直に折り曲げ形成した折り曲げ辺１５とからなるものとした。なお、折り曲げ辺１５は、出力側遮断器５の取り付け面と反対方向に向けて垂直に折り曲げ形成したものに限定されず、出力側遮断器５の取り付け面と反対側に折り曲げ形成していればよいものである。さらに、延設部１３の折り曲げ辺１５には接続孔１６を形成し、この接続孔１６に出力線１０の圧着端子を固定してなる電線接続部１７を形成し、電線接続部１７の電線を接続する面は図１の紙面下方向と並列して形成した。接続孔１６は、使用環境に応じて折り曲げ辺１５の折り曲げ方向に複数形成されたものであり、第１の実施形態においては１つの相に各々２つの接続孔１６を形成することにより、各々２つの電線接続部１７を備えるものとした。
【００２３】
前記構成により、出力線１０の圧着端子を重ねることなく、１つの相に複数の出力線１０を省スペースで配線することが可能となり、電線接続部１７における圧着端子の圧着に緩みを生じることなく、かつ、電線接続部１７への負担を増加させることのない出線が実現可能となる。また、電線接続部１７の電線を接続する面を図１の紙面下方向と並列して形成することで、出力線１０は同一方向すなわち図１の紙面下方向に出線可能となり、出力線１０を1箇所にまとめて出線することができるので、客先での配線が容易となる。一方、Ｐ極とＮ極のそれぞれの出力線１０を分岐して配線する場合、端子接続部１２に対する延設部１３の取付角度を変更するなど、出力線１０を異方向に出線することも可能である。また、延設部１３には出力側遮断器５の取り付け面と反対側に折り曲げ形成した折り曲げ辺１５を備えたことにより、図３のように端子接続部１２に対して出力側遮断器５の取り付け面と反対側の空間を複数の出力線１０を配線するスペースとすることができることから、入力線７と電線接続部１７とが重複せず、また出力線１０同士の重なりも防止することが可能となる。さらに、折り曲げ辺１５の折り曲げ方向に複数の接続孔１６を形成したことにより、端子接続部１２に対して出力側遮断器５の取り付け面と反対側の空間を利用して複数の出力線１０を接続可能とするとともに、各圧着端子を確実に締め付けることが可能となる。
【００２４】
また、異極間の短絡防止のため、図３のように各相の電線接続部１７が離れた位置となるよう折り曲げ辺１５を形成することが好ましい。なお、接続孔１６の両側に圧着端子を取り付けて、１つの電線接続部１７とすることもできる。
【００２５】
出力側遮断器５の端部には、図３のように出力端子部９の上端及びリードバー１１を被覆するように出力側遮断器５の取り付け面と平行配置される保護カバー１８を備え、延設部１３を保護カバー１８と端子接続部１２との間に形成される空間に配置するものとした。これにより、導電部への異物の侵入や手の接触等を防止することが可能となる。
【００２６】
第１の実施形態において、図２及び図３のようにリードバー１１と出力側遮断器５の取り付け面との間に形成される空間には、碍子１９を介してリードバー１１を固定するための土台部２０が形成されている。これにより、リードバー１１と出力側遮断器５の取り付け面との間の絶縁を図ることが可能となると同時に、出力線１０やリードバー１１の荷重による、出力端子部９への負荷を軽減させることができる。
【００２７】
図４には、第２の実施形態を示す。延設部１３は、端子接続部１２に重ねて配置される接合辺１４と、接合辺１４を出力側遮断器５の取り付け面と反対方向に向けて垂直に折り曲げ形成した折り曲げ辺１５と、折り曲げ辺１５の端部から、出力側遮断器５の取り付け面と平行配置される平行辺２１を左右方向に延設したクランク形状とすることができる。これにより、第１の実施形態と同様に、端子接続部１２に対して出力側遮断器５の取り付け面と反対側の空間を複数の出力線１０を配線するスペースとすることができることから、入力線７と電線接続部１７とが重複せず、また出力線１０同士の重なりも防止することが可能となる。このとき、接続孔１６は平行辺２１に延設方向に亘って並列に形成されるが、使用環境に応じて接続孔１６を折り曲げ辺１５に形成してもよい。なお、その他の構造については、前述した第１の実施形態と同様である。
【００２８】
図５には、第３の実施形態を示す。これは、前述した第２の実施形態の平行辺２１を、出力線１０の出線方向、すなわち下方向に延びるよう形成したものである。このとき、電線接続部１７は、端子接続部１２の端部と平行辺２１の端部とに形成するものとしたが、使用状況に応じて変更可能である。なお、その他の構造については、前述した第１の実施形態と同様である。
【００２９】
以上のように、第１乃至第３の実施形態においては、出力線１０は図１の紙面下方向に出線するものであるが、例えば屋内設置等の理由から図１の紙面左右方向への出線を行う際には、その他の実施形態として図６に示すように、延設部１３の取り付け方向を変更することによって出力線１０の出線方向を変更することができる。なお、第１乃至第３の実施形態においては、リードバー１１を構成する端子接続部１２と延設部１３とを別部材とすることにより、使用されない無駄な材料を減らし材料効率を良くしたが、図６に示すように、端子接続部１２と延設部１３とを一体形成してもよい。
【００３０】
また、電線接続部１７が端子接続部１２に対して出力側遮断器５の取り付け面と反対側に延びる位置に形成され、かつ入力線７と重ならない位置であり、かつ保護カバー１８内に形成していれば、延設部１３の形状は限定されることはない。
【００３１】
以上のように、本発明は太陽光接続箱に取り付けられた出力側遮断器５の配線構造に関するものであるが、その他にも、他の機器を収めた電気機器収納用箱においても適用可能であり、また出力側遮断器５のみならず、その他端子部を備えた機器にも本発明の配線構造は適用できるものである。
【符号の説明】
【００３２】
１  キャビネット
２  入力開閉器
３  逆流防止ダイオード
４  Ｐ極銅バー
５  出力側遮断器
６  入力端子部
７  入力線
８  Ｎ極銅バー
９  出力端子部
１０  出力線
１１  リードバー
１２  端子接続部
１３  延設部
１４  接合辺
１５  折り曲げ辺
１６  接続孔
１７  電線接続部
１８  保護カバー
１９  碍子
２０  土台部
２１  平行辺
【図２】
2015076944.tif 000003
【図３】
2015076944.tif 000004
【図４】
2015076944.tif 000005
【図１】
2015076944.tif 000006
【図５】
2015076944.tif 000007
【図６】
2015076944.tif 000008